(57)【特許請求の範囲】
【請求項１】
音楽データなどが記録される第1のエリアと該第1のエリアに記録されている内容に関する情報(第1エリア記録内容情報)が記録される第2のエリアを備え、該第2のエリアに設けられた複数のブロックのそれぞれに文字コードと言語コードの異なる組み合わせで前記第1エリア記録内容情報が記録されるディスクをディスクプレーヤに装着し、該第2エリアの所定ブロックより第1エリア記録内容情報を読み取って所定の言語でディスプレイ部に表示するディスクプレーヤの記録内容情報表示方法において、
全ブロックに、前記第1エリア記録内容情報に加えて、各ブロックの言語コードと自ブロックの文字コードを記録し、
所定のブロックの第1エリア記録内容情報を読み取って表示する際、該ブロックの言語コードに対応する読み込み回数をカウントして保存しておき、
新たなディスクを再生する際、前記カウント値が最も大きい言語コード(カウント最大言語コード)のブロックより第1エリア記録内容情報を読み取って該言語コードに応じた言語で表示する、
ことを特徴とするディスクプレーヤの記録内容情報表示方法。
【請求項２】
任意のブロックより各ブロックの言語コードを読み取り、これら各ブロックの言語コードと前記カウント最大言語コードとを比較することにより、前記カウント最大言語コードのブロックが存在するかを判断し、
存在する場合に、該ブロックより第1エリア記録内容情報を読み取って表示する、
ことを特徴とする請求項1記載のディスクプレーヤの記録内容情報表示方法。
【請求項３】
前記カウント最大言語コードのブロックの第1エリア記録内容情報を、該ブロックの文字コードを解読して表示できるか判断し、表示できれば該第1エリア記録内容情報を表示することを特徴とする請求項１記載のディスクプレーヤの記録内容情報表示方法。
【請求項４】
前記表示した第1エリア記録内容情報の言語コードに対応する読み込み回数をカウントアップする、
ことを特徴とする請求項３記載のディスクプレーヤの記録内容情報表示方法。
【請求項５】
前記言語コードに対応する読み込み回数のカウント値の総数が設定値より大きければ、カウント最大言語コードのブロックより第1エリア記録内容情報を読み出して表示し、
前記総数が設定値以下であれば、各ブロックより文字コードを順次読み取り、該文字コードとディスクプレーヤのシステムによって決まる第1優先の文字コードとが一致するか調べ、一致するブロックが存在する場合には、該当ブロックの第1エリア記録内容情報を表示し、かつ、該ブロックの言語コードに対応する読み込み回数をカウントアップする、
ことを特徴とする請求項1記載のディスクプレーヤの記録内容情報表示方法。
【請求項６】
各ブロックの文字コードが第1優先の文字コードと一致しなければ、システムによって決まる第2優先の文字コードについて上記制御を繰り返す、
ことを特徴とする請求項５記載のディスクプレーヤの記録内容情報表示方法。
【請求項７】
装着されたディスクがCD−Rであるか検出し、
ディスクがCD−Rの場合に前記第1エリア記録内容情報の表示処理を実行することを特徴とする請求項1記載のディスクプレーヤの記録内容情報表示方法。
【請求項８】
前記第2エリアの所定サイズ毎にシーケンス番号を付すと共に、各ブロックに全ブロックの最後のシーケンス番号を記録し、
目的とするブロックの先頭シーケンス番号を各ブロックの最後のシーケンス番号を用いて求め、
現在のシーケンス番号と前記先頭シーケンス番号を用いてピックアップを目的とするブロックの先頭に位置決めする、
ことを特徴とする請求項１記載のディスクプレーヤの記録内容情報表示方法。
【請求項９】
音楽データなどが記録される第1のエリアと該第1のエリアに記録されている内容に関する情報(第1エリア記録内容情報)が記録される第2のエリアを備え、該第2のエリアに設けられた複数のブロックのそれぞれに文字コードと言語コードの異なる組み合わせで前記第1エリア記録内容情報が記録されるディスクが装着され、該ディスクの所定ブロックより第1エリア記録内容情報を読み取って所定の言語で表示するディスクプレーヤにおいて、
所定のブロックより第1エリア記録内容情報を読み取る読取部、
該読み取った第1エリア記録内容情報を所定の言語で表示する表示部、
第1エリア記録内容情報を所定の言語で表示する際、該言語に対応する読み込み回数をカウントして保存するカウント手段、
新たなディスクが装着された際、前記カウント値が最も大きい言語で前記第1エリア記録内容情報が記録されたブロックがディスクに存在するか調べ、存在する場合には、読取部に該ブロックより第1エリア記録内容情報を読み取らせ、該言語で表示部に表示させる制御部、
を有することを特徴とするディスクプレーヤ。
【発明の詳細な説明】
【０００１】
【発明の属する技術分野】
本発明は、ディスクプレーヤ及びその記録内容情報表示方法に係わり、特に、音楽データなどが記録される第1のエリアと該第1のエリアに記録されている内容に関する情報(第1エリア記録内容情報)が記録される第2のエリアを備えたディスクより第1エリア記録内容情報を読み取って所定の言語でディスプレイ部に表示するディスクプレーヤ及びその記録内容情報表示方法に関する。
【０００２】
【従来の技術】
音楽データなどが記録される第1のエリアと該第1のエリアに記録されている内容に関する情報(第1エリア記録内容情報)が記録される第2のエリアを備え、該第2のエリアに設けられた複数のブロックのそれぞれに、文字コードと言語コードの異なる組み合わせで第1エリア記録内容情報が記録されるディスクがある。かかるディスクの例として1回のみの書き込みが可能な光ディスクであるCD−Rがある。
【０００３】
CD-Rは書き込みが可能なため、音楽データを記録して再生することが行われている。すなわち、図8に示すようにパソコン1を用いて、CD-R 2に所望の音楽データをCD等から読み取って記録し、あるいはネットワークを介して受信した音楽データを記録し、CDプレーヤ3で再生することが行われている。かかるCD-Rへの音楽データの記録時、アルバム名や曲のタイトル名、アーチスト名等の管理情報をCD-TEXT としてCD-R 2のリードインエリアに記録し、再生時にこれら情報を適宜ディスクプレーヤの表示部に表示できるようになっている。実際、CD−TEXTには、以下の種類の情報、
(1)Album名又はTrack Title名(曲名)
(2)演技者名（歌手、演奏者、指揮者、オーケストラ等）
(3)作詞者名
(4)作曲者名
(5)編曲者名
(6)制作／提供サイトまたはアーティストからのメッセージ
(7)ディスク識別情報
(8)ジャンル識別情報
(9)TOC情報
(10)2ndTOC情報
(11)アルバムのUPC／EANコード又は各トラックのISRCコード
(12)ブロック情報のサイズ＋文字コード／言語コード情報、
があり、これらが言語コードと文字コードの異なる組み合わせ毎にブロックという単位でリードインエリアに記録してある。すなわち、CD-Rのリードインエリアに8ブロックが存在し、言語コードと文字コードの異なる組み合わせ毎に上記(1)〜(12)のCD-TEXT情報が各ブロックに連続的に記録されるようになっている。1ブロックの最大サイズはCRC情報を含めると4608byte(時間にして約0.9秒)である。
【０００４】
パソコン1の音楽データ記録用のライティングソフトは図９に示すように種々のものが発売されており今後も種々のソフトが出回ることが予想される。ライティングソフト、例えばWinCDRは英語と日本語に対応し、それぞれの文字コードはASCII/ISO646、MS-JISである。このWinCDRによれば、同時に上記(1)〜(12)のCD−TEXT情報が英語と日本語で作成されて別々のブロックに記録される。又、Nero5は英語のみに対応するが、文字コードとしてASCII/ISO646とISO8859-1があり、選択された文字コードでCD-TEXT情報が所定のブロックに記録される。なお、図示のライティングソフトは英語と日本語の一方あるいは両方に対応するもので他国語に対応していないが、将来的に種々のソフトウェアが出回り、各ブロックに言語コードと文字コードの異なる組み合わせでCD-TEXT情報が記録されることが可能となる。
【０００５】
CD-R ２は、図8に示すように通常のCDと同様に、音楽データなどが記録されるプログラムエリア２ａ、TOC情報やCD-TEXTが記録されるリードインエリア２ｂ、リードアウトエリア2cを備えている。又、CDと異なり、パワー調整エリア(Power Calibration Area)２ｄとプログラムメモリエリア（Program Memory Area）2eを有している。パワー調整エリア２ｄは曲毎に音楽データ記録時におけるレーザーの強さを記録するエリア、プログラムメモリエリア２ｅはトラック(曲)の先頭アドレス及び末尾アドレスを保存するエリアである。これらパワー調整エリア(Power Calibration Area)２ｄあるいはプログラムメモリエリア（Program Memory Area）2eの有無に基いてCD-Rであるか否かの区別をすることができる。
【０００６】
図１０はCD、CD-Rの信号フォーマット説明図である。L,R各チャンネル6サンプル(総計12サンプル、1サンプル16ビット)の音響信号の各サンプルデータを8ビットづつ分割して1シンボルが8ビットの24個のシンボル情報にし、これらに8シンボルの訂正符号(CIRC)を付加して32シンボルで1つの単位を構成する。この32シンボル情報にフレーム同期信号とサブコードを付加して1フレームが形成される（図１０（a）,(b)）。なお、実際には、8ビットのサブコード及び各シンボルはEFM変調により14ビットに変換され、フレーム同期信号は24ビットであり、又、各シンボル間に3ビットの結合ビットが挿入され、1フレームは588ビットで構成されている。
【０００７】
このフレーム98個で大フレームが構成される（図10（ａ））。サブコードは図１０(c)に示すようにP,Q,R,S,T,U,V,Wの8ビットで構成され、大フレームの最初の2フレーム分のサブコードは同期信号S０、S１であり、
S０=00100000000001, S１=0000000010010
である。各サブコードP,Q,R,S,T,U,V,Wは98ビットで構成され、そのうちサブコードQは図１１に示すよう、2ビットの同期データ、4ビットのコントロールデータ、4ビットのアドレスデータ、72ビットのデータ、16ビットのCRCデータで構成されている。リードインエリアとプログラムエリアとでデータ形式が異なり、(1)はリードインエリアでのTOCのデータ形式、(2)はプログラムエリアでのデータ形式である。▲１▼MNRは曲番号（トラック番号ともいう）であり、00〜99の値が可能であるが、リードインエリアではMNR=00のみ、プログラムエリアでは01〜99である。▲２▼Ｘはプログラムエリアのみで使用されるチャプター番号であり、各曲番内で00〜99の値が可能である。▲３▼MIN/SEC/FRAMEは曲先頭からの現在位置を分/秒/フレームで示す経過時間、▲４▼ZEROはすべて"0"であることを示すもの、▲５▼AMIN/ASEC/AFRAMEはプログラムエリア先頭からの絶対的現在位置を分/秒/フレームで示す絶対時間である。▲６▼POINTはTOCで曲の先頭位置を示す場合に曲番(トラック番号)を示すもの、▲７▼PMIN/PSEC/PFRAMEはプログラムエリア先頭からの曲の先頭位置を分/秒/フレームで示す絶対位置時間であり、ディスクの目次に相当する。
【０００８】
図１２はCDの場合におけるリードインエリアのTOC説明図であり、各曲の先頭位置がMNR=00の部分で繰り返し（３回）記録されている。例えば、大フレーム番号n, n+1, n+2のサブコードQにより曲番01の先頭位置00分2秒32フレームが示されている。更に、POINT=A0によりディスクの最初の曲番、POINT=A1によりディスクの最後の曲番、POINT=A2によりリードアウトエリアの先頭位置を示すようになっている。図では、曲数が６曲の場合の例を示している。一方、CD-RのリードインエリアのサブコードQには図１３に示すようにCDと同様にTOC情報が記録されるが、CDと異なりPOINT=B0、POINT=B１、POINT=B2があり、それぞれに所定の情報が記録される。したがって、POINT=B0、POINT=B１、POINT=B2があるか否かでCD-Rであるか、CDであるかを識別することができる。
【０００９】
CDではサブコードＲＳＴＵＶＷを用いて静止画情報(ライングラフィック、テレビグラフィック)を記録するようになっているが、CD-Rでは図１４に示すようにサブコードＲＳＴＵＶＷを用いてユーザがCD-TEXTを自由に記録できるようになっている。大フレーム(98フレーム)のサブコードＲＳＴＵＶＷ領域は72（＝6×96/8）バイトであるため、図示するように64個の大フレームで最大サイズのブロック(4608バイト)が構成される。CD-Rのリードインエリアには図１５に示すようにブロック０〜ブロック7の8つのブロックが存在し、各ブロックには80H〜8F H(Hはヘキサ)の領域が存在し、80H領域にはアルバム名又はトラックタイトル名が記録され、81H領域にはトラック毎の演技者名(歌手、演奏者など)が記録され、以下同様に所定の情報が記録され、8FH領域にはブロックのサイズや該ブロックにおける文字コード、言語コードが記録される。
【００１０】
【発明が解決しようとする課題】
以上のようにCD-Rの各ブロックにはそれぞれ文字コードと言語コードの異なる組み合わせでアルバム名やトラックタイトル名、作詞者名、作曲者名、編曲者名、制作/提供サイト又はアーチストカからのメッセージが記録される。市販されているCDにてCD-TEXTが対応されている事は稀であるが、汎用PC等でCD-Rにユーザーが自由にCD-TEXTを書き込むことが普通になってきている。
【００１１】
このため、ディスクプレーヤがCD-RからCD-TEXTの取得／表示を行う場合、各ブロックの言語コードや文字コードをチェックし、該当するブロックよりCD-TEXT情報を読み取る必要がある。例えば、フルドット表示が可能な製品(ディスクプレーヤ)であると、2バイト文字コード（MS-JIS）の表示が可能であることから、まずはこの2バイト文字コード（MS-JIS）が記録されているか確認し、記録されていればこれを取得して日本語でアルバム名等を表示し、記録されていなければ、1バイト文字コード（ASCIIやISO8859−1等）の情報を取得して英語でアルバム名等を表示する、という二度手間を踏まなくてはいけない。
【００１２】
図１６は従来のCD-TEXT情報取得処理フローである。なお、システム設定により第1優先の文字コード、第2優先の文字コードはきまっている。例えば上記のようにフルドット表示が可能であれば、MS-JISが第1優先の文字コード、ASCIIあるいはISO8859−1が第2優先の文字コードである。
まず、ｉ＝１，ｊ＝１とし(ステップ101)、第ｉブロックのCD-TEXT情報を読み取って記憶する(ステップ102)。ついで、第ｉブロックのCD-TEXT情報より文字コードを識別し(ステップ103)、該文字コードが第j優先の文字コードと一致するかチェックする(ステップ104)。一致すれば、該文字コードで第ｉブロックに記録されているアルバム名などを表示する(ステップ105)。一方、ステップ104において、第ｉブロックの文字コードが第j優先の文字コードと一致しなければ、ｉ＝８であるか、すなわち、全ブロックについて文字コード比較処理を終了したかチェックし(ステップ106)、「NO」であればｉを歩進し（ｉ＝ｉ＋１，ステップ107）、ステップ102以降の処理を繰り返す。しかし、ｉ＝８であれば、すなわち、全ブロックについて文字コード比較処理を終了すれば、jを歩進すると共に(j=j+1)，ｉ=1とし(ステップ108)、次の優先順位の文字コードについてステップ102以降の処理を行う。
【００１３】
以上のように従来は所望の文字コードがみつかるまで各ブロックのCD-TEXT情報を読み出して文字コードを比較しなければならず処理に時間がかかる問題があった。特に、文字コードの確認は、全ブロックの上記8FHの情報を読み出す必要があり、これは、最大8ブロック記録されているとすると、時間にして最大約7.2秒の情報を読み出す必要がある。以上より、従来は上記処理を行うため所要の情報が表示されるまでに数秒から数十秒の長時間を要する問題があった。一般的にユーザが書き込む際に用いるのはMS-JISだけだったり、ASCIIだけだったりと共通している傾向にある。これにもかかわらずCDプレーヤは最良の情報を検索するあまり、所定の情報を表示するまでに時間がかかる問題がある。
以上から本発明の目的は、短時間でCD-TEXT情報を所定の言語で表示できるようにすることである。
本発明の別の目的は、ユーザのCD-TEXT作成に関する傾向を蓄積し、短時間でCD-TEXT情報を所定の言語で表示できるようにすることである。
【００１４】
【課題を解決するための手段】
本発明は、音楽データなどが記録される第1のエリアと該第1のエリアに記録されている内容に関する情報(第1エリア記録内容情報)が記録される第2のエリアを備え、該第2のエリアに設けられた複数のブロックのそれぞれに文字コードと言語コードの異なる組み合わせで前記第1エリア記録内容情報が記録されるディスクをディスクプレーヤに装着し、第2エリアの所定ブロックより第1エリア記録内容情報を読み取って所定の言語でディスプレイ部に表示するディスクプレーヤおよびその記録内容情報表示方法であり、全ブロックに、第1エリア記録内容情報に加えて、各ブロックの言語コードと自ブロックの文字コードを記録し、所定のブロックの第1エリア記録内容情報を読み取って表示する際、該ブロックの言語コードに対応する読み込み回数をカウントして保存する。そして、新たなディスクを再生する際、前記カウント値が最も大きい言語コードのブロックより第1エリア記録内容情報を読み取って該言語コードに応じた言語で表示する。
【００１５】
このようにすれば、ユーザが記録したCD-Rを再生することが多くなるため、ユーザがCD-RにCD-TEXTを書き込む際に使用する文字コードに応じた言語のカウント数が多くなり、新たなディスクが装着された際、該言語で短時間でCD-TEXT情報を表示することができるようになる。すなわち、ユーザのCD-TEXT作成に関する傾向を蓄積し、短時間でCD-TEXT情報を所定の言語で表示できるようになる。
又、本発明によれば、ディスクプレーヤが装着されたディスクがCD−Rであることを検出し、ディスクがCD−Rの場合にのみ上記第1エリア記録内容情報の表示処理を実行することができる。
また、本発明によれば、現在のシーケンス番号と目的ブロックの先頭シーケンス番号を用いて、ピックアップを目的ブロックの先頭に短時間で位置決めしてCD-TEXT情報を読み取ることができる。
【００１６】
【発明の実施の形態】
(Ａ)構成
図1は本発明のディスクプレーヤの構成図であり、11はCDあるいはCD-R等のディスク、12はディスクが載せられるターンテーブル、13ディスクを所定の一定の線速度で回転させるスピンドルモータ、１４はディスクのディジタル記録信号を検出するピックアップ、15はピックアップをディスク半径方向へ送る送りモータである。
【００１７】
16は光ピックアップ14の検出信号からＥＦＭ信号、エラー信号、ＣＬＶ制御信号等を作成するＲＦアンプ、17はエラー信号（フォーカスエラー信号、トラックキングエラー信号）、ＣＬＶ制御信号等を用いて後述するシステムコントローラの指令に従って所定のサーボをかけるサーボ回路であり、光ピックアップ14の対物レンズ（図示せず）をトラック単位で動かすトラックジャンプや、送りモータ15により光ピックアップ14の全体をディスク半径方向へ動かすフィード送りも行うようになっている。18はＲＦアンプ16から出力されるＥＦＭ信号に対し同期、ディインターリーブ、誤り訂正、サブコード抽出等を行い、オーディオサンプルデータを復調したり、TOC情報やサブコードデータを復調したりするディジタル信号処理回路である。
【００１８】
19，20はディジタル信号処理回路から出力されたオーディオサンプルデータをチャンネル別にＤ／Ａ変換して出力するＤ／Ａ変換器、21はCD-TEXT情報や演奏中の曲番、演奏経過時間等を表示する表示部、22は各種キーを備えた操作部、23はシステムコントローラであり、CD-TEXT情報の表示制御、ディスクのプレイ制御等を行わせるもの、24はRAMであり言語毎の読み込み回数テーブル51、TOC情報52、CD-TEXT情報53を記憶するようになっている。25はシステムパラメータ設定部であり、表示部がフルドット対応であるかか否か等が設定される。
【００１９】
(B)CD-Rのブロック構成
図１５で説明したように、CD-Rのリードインエリアにはブロック０〜ブロック7の8つのブロックが存在し、各ブロックには80H〜8F H(Hはヘキサ)の領域が存在し、80H領域にはアルバム名又はトラックタイトル名が記録され、81H領域にはトラック毎の演技者名(歌手、演奏者など)が記録され、以下同様に所定の情報が記録され、81H領域にはブロックのサイズや該ブロックにおける文字コード、言語コードが記録される。
1ブロックの最大サイズは4608バイトであり、18バイトを1パックとして最大256パックで構成される。1パックの18バイトのうち、2バイトはCRCチェック用であり、残りの16バイトは図2に示す構成を備えている。すなわち、1パックは、ID1〜ID4の4バイト、TEXT1〜TEXT12の12バイト、CRCの2バイトの18バイトで構成される。
【００２０】
各ブロックの80H領域には、アルバム名及びトラック毎のタイトル名が記録される。例えば、CD-Rに6トラックが記録され、各タイトルが1パックで表現できるものとすれば、図3に示すようにアルバム名用に1パック、トラック用に6パック、トータル７パックでアルバム名及びトラック毎のタイトル名を記録するようになっている。なお、80H領域においてID1は"80"を表わし、ID2はトラック番号(00はディスク)を、ID3はブロック毎のシーケンス番号を、ID4はTEXT1のタイトル名における文字位置を、TEXT1〜TEXT12は文字コードである。ASCII/ISO646などは1バイト文字コードであるため1パックで12文字を表現でき、MS-JISは2バイト文字コードであるため、1パックで6文字を表現できる。各ブロックの他の領域にも80H領域と同様にCD-TEXT情報が記録される。
【００２１】
各ブロックの8FH領域は図4に示すように3パックで構成され、各パックのID1は"8F"を示し、ID2はパック番号を、ID3はシーケンス番号を、ID4はブロック番号を示す。第1〜第3パックのTEXT1〜TEXT12には、
▲１▼自ブロックの文字コード、
▲２▼最初のトラック番号、
▲３▼最後のトラック番号、
▲４▼コピープロテクト情報、
▲５▼80領域〜8F領域のパック数、
▲６▼各ブロックの最後のシーケンス番号(各ブロックのサイズ)。
▲７▼各ブロックの言語コード、
が記録される。
【００２２】
（C）初期のCD-TEXT表示処理フロー
図5は読み込みカウント数の総計が設定値以下の場合におけるCD-TEXT表示処理フローである。なお、システム設定部25における設定により、システムコントローラ23は第1優先の文字コード、第2優先の文字コードを認識している。例えばフルドット表示が可能であれば、MS-JISが第1優先の文字コード、ASCIIあるいはISO8859−1が第2優先の文字コードである。
【００２３】
システムコントローラ23は、CD-Rが装着されると、ｉ＝１，ｊ＝１と初期化し(ステップ201)、第ｉブロックのCD-TEXT情報を読み取ってRAM24に記憶する(ステップ202)。ついで、第ｉブロックの"8F"領域より文字コードを識別し(ステップ203)、該文字コードが第j優先の文字コードと一致するかチェックする(ステップ204)。一致すれば、第ｉブロックの言語コードを"8F"領域より識別し(ステップ205)、該言語コードに対応してRAM 24に記憶してある読み込み回数を＋１カウントアップすると共に総カウント数Ｔを＋１カウントアップする(ステップ206)。以後、第ｉブロックに記録されているアルバム名などを前記言語で表示部21に表示する(ステップ207)。
【００２４】
一方、ステップ104において、第ｉブロックの文字コードが第j優先の文字コードと一致しなければ、ｉ＝８であるか、すなわち、全ブロックについて文字コード比較処理を終了したかチェックし(ステップ208)、「NO」であればｉを歩進し（ｉ＝ｉ＋１，ステップ209）、ステップ202以降の処理を繰り返す。しかし、ｉ＝８であれば、すなわち、全ブロックについて文字コード比較処理を終了すれば、jを歩進すると共に(j=j+1)，ｉ=1とし(ステップ210)、次の優先順位の文字コードについてステップ202以降の処理を行う。
【００２５】
図6は読み込みカウント数の総計が設定値より大きくなった場合におけるCD-TEXT表示処理フローである。
ディスクがCDプレーヤに装着されると、システムコントローラ23は該ディスクがCD-Rであるかを判別する(ステップ301)。CD-Rでなければ該ディスク対応の表示処理を行う(ステップ302)。CD-Rであれば、読み込み回数の総数Ｔが設定値以上であるかチェックし(ステップ303)、設定値より小さければ図5の方法でCD-TEXT情報を表示する(ステップ304)。
一方、ステップ301において、読み込み回数の総数Ｔが設定値以上であれば、RAM 24に記憶されている言語毎の読み込み回数テーブル51より読み込み回数が最大の言語コードを求める(ステップ305)。
【００２６】
ついで、ブロック０のCD-TEXT情報を読み取り(ステップ306)、ID1=8F、ID2=02のパックより各ブロックの言語コードを読み出す(ステップ307)。
しかる後、読み込み回数が最大の言語コードと同じ言語コードのブロックが存在するかチェックし(ステップ308)、存在しなければステップ304により図5の方法でCD-TEXT情報を表示する。しかし、読み込み回数が最大の言語コードと同じ言語コードのブロックが存在すれば、該当ブロックのCD-TEXT情報を読み取ってRAM 24に格納する(ステップ309)。
【００２７】
ついで、読み取ったブロックの文字コードは解読可能か、すなわち、該文字コードで表現された文字列をディスプレイ部に表示可能であるかチェック(ステップ310)、不可能であれば、ステップ304により図5の方法でCD-TEXT情報を表示する。しかし、表示可能であれば、、該当言語コードの読み込み回数を+1すると共に総カウント数Tを+1する(ステップ311)。以後、ディスクのアルバム名などを表示する(ステップ312)。
以上のようにすれば、ユーザが記録したCD-Rを再生することが多くなるため、ユーザがCD-RにCD-TEXTを書き込む際に使用する文字コードに応じた言語のカウント数が多くなり、新たなディスクが装着された際、該言語で短時間でCD-TEXT情報を表示することができるようになる。すなわち、ユーザのCD-TEXT作成に関する傾向を蓄積し、短時間でCD-TEXT情報を所定の言語で表示できるようになる。又、装着されたディスクがCD−Rであるかを検出するから、ディスクがCD−Rの場合にのみ上記CD-TEXT情報の表示処理を実行することができる。
【００２８】
図7は読み込み回数が最大の言語コードと同じ言語コードのブロックにピックアップを位置決めする方法の処理フローである。
図6のステップ308において、読み込み回数が最大の言語コードと同じ言語コードのブロックが存在することが判明すれば、システムコントローラ23は該ブロック(目的ブロック)の番号を求める(ステップ４０１)。ついで、ID1=8Fに記憶されている各ブロックの最終シーケンス番号(サイズ)のうち必要なものを用いて目的ブロックの先頭シーケンス番号を計算する(ステップ402)。以後、現シーケンス番号と該先頭シーケンス番号とをサーボ回路17に入力し、サーボ回路17はこれらシーケンス番号を用いて送りモータ15を制御してピックアップを目的ブロックの先頭シーケン位置に位置決めする。
以上のようにすれば、現在のシーケンス番号と目的ブロックの先頭シーケンス番号を用いて、ピックアップを目的ブロックの先頭に短時間で位置決めしてCD-TEXT情報を読み取ることができる。
【００２９】
【発明の効果】
以上、本発明によれば、ユーザが記録したCD-Rを再生することが多くなるため、ユーザがCD-RにCD-TEXTを書き込む際に使用する文字コードに応じた言語のカウント数が多くなり、新たなディスクが装着された際、該言語で短時間でCD-TEXT情報を表示することができるようになる。すなわち、ユーザのCD-TEXT作成に関する傾向を蓄積し、短時間でCD-TEXT情報を所定の言語で表示できるようになる。
又、本発明によれば、装着されたディスクがCD−Rであることを検出し、ディスクがCD−Rの場合にのみ上記第1エリア記録内容情報の表示処理を実行することができる。
【００３０】
又、本発明によれば、読み込み回数が設定値より大きい場合に、読み込み回数の多い言語コードでCD-TEXT情報を表示するようにしたから、ユーザが欲する言語でCD-TEXT情報を表示することができ、しかも、表示時間を短縮できる。
また、本発明によれば、現在のシーケンス番号と目的ブロックの先頭シーケンス番号を用いて、ピックアップを目的ブロックの先頭に短時間で位置決めしてCD-TEXT情報を読み取って表示することができる。
【図面の簡単な説明】
【図１】本発明のディスクプレーヤの構成図である。
【図２】パック構成図である。
【図３】ブロック構成(80領域)の構成説明図である。
【図４】ブロック構成(8F領域)の構成説明図である。
【図５】読み込みカウント数の総計が設定値以下の場合におけるCD-TEXT表示処理フローである。
【図６】読み込みカウント数の総計が設定値より大きくなった場合におけるCD-TEXT表示処理フローである。
【図７】目標ブロックにピックアップを位置決めする方法の処理フローである。
【図８】  CD-Rの記録、再生説明図である。
【図９】音楽データ記録用のライティングソフト例である。
【図１０】  CD、CD-Rの信号フォーマット説明図である。
【図１１】サブコードQ説明図である。
【図１２】  CDのTOC情報説明図である。
【図１３】  CD-RのTOC情報説明図である。
【図１４】リードインエリアにおけるCD-TEXT領域の説明図である。
【図１５】  CD-TEXT領域の構成図である。
【図１６】従来のCD-TEXT情報取得処理フローである。
【符号の説明】
１１  CDあるいはCD-R等のディスク
１４  ピックアップ
１５  送りモータ
１６  ＲＦアンプ
１７  サーボ回路
１８  ディジタル信号処理回路
２２  表示部
２３  システムコントローラ
２４  ＲＡＭ
２５  システムパラメータ設定部
５１  言語毎の読み込み回数テーブル
５３  CD-TEXT情報
【図１】
0003793093.tif 000002
【図２】
0003793093.tif 000003
【図３】
0003793093.tif 000004
【図４】
0003793093.tif 000005
【図５】
0003793093.tif 000006
【図６】
0003793093.tif 000007
【図７】
0003793093.tif 000008
【図８】
0003793093.tif 000009
【図９】
0003793093.tif 000010
【図１０】
0003793093.tif 000011
【図１１】
0003793093.tif 000012
【図１２】
0003793093.tif 000013
【図１３】
0003793093.tif 000014
【図１４】
0003793093.tif 000015
【図１５】
0003793093.tif 000016
【図１６】
0003793093.tif 000017